(57)【要約】【課題】、便器洗浄時に水洗大便器と便座との隙間からの排泄物の飛散を抑制し、その飛沫が手に触れる可能性を確実に抑制すること。【解決手段】水溶性の紙から成る便座シートであって、便座の開口部を含めて便座の上面を覆う上面被覆面と、この上面被覆面と屈曲変形を促す変形促進部を介して連接されており、便座の側面に向かって垂下する垂下面と、を有する。【選択図】図２
2017148156.tif 000002
【特許請求の範囲】
【請求項１】
水溶性の紙から成る便座シートであって、
便座の開口部を含めて便座の上面を覆う上面被覆面と、
この上面被覆面と屈曲変形を促す変形促進部を介して連接されており、
便座の側面に向かって垂下する垂下面と、
を有することを特徴とする便座シート。
【請求項２】
前記垂下面は、便座の前方に垂下がる前方垂下面と、便座の両側方に垂下がる側方垂下面とを有し、前記上面被覆面に対してそれぞれが前記変形促進部を介して前記上面被覆面と連接されていることを特徴とする請求項１記載の便座シート。
【請求項３】
前記前方垂下面と前記側方垂下面との間には、切れ込みが形成されていることを特徴とする請求項２に記載の便座シート。
【請求項４】
前記変形促進部は、薄肉部、折れ目またはミシン目によって形成されていることを特徴とする請求項１乃至請求項３何れか一項に記載の便座シート。
【発明の詳細な説明】
【技術分野】
【０００１】
本発明は、水洗大便器における排泄物などの飛散防止に配慮実施することに係り、特に医療機関において、使用者である患者や医療機関に勤務する看護師を始めとする医療従事者が排泄物を廃棄する際の安全性配慮及び衛生性維持に好適な便座シートに関する発明である。
【背景技術】
【０００２】
従来、水洗大便器において、医療従事者が便器洗浄を行い、患者の排泄物を廃棄する際、排泄物の飛散りが医療従事者の衛生性の支障になる恐れがあることから、便蓋を閉じた状態で便器洗浄することが望まれている。
しかしながら、医療機関においては、身体動作の不自由な患者の使い勝手に配慮して、便蓋を有していない水洗大便器が広く販売されてきた経緯があり、便蓋を閉じた状態での便器洗浄をすることが難しいという問題があった。
また、便蓋を有する水洗大便器であっても、使用者である患者や医療従事者が直接飛散した排泄物に触れることを防止できるものの、便蓋の内側に飛散したものが垂れて、使用者である患者や医療従事者に触れる恐れがあるだけでなく、それを拭い取る作業負荷が大きいという問題があった。
【０００３】
そこで、本来の使用方法とは異なるが、従来品の便座シート（特許文献１参照）の中央部を除去せずに便座に被せた状態で1度目の便器洗浄を行い、次に、2度目の便器洗浄で使用した便座シートを便器に流すことが考えられている。これにより、便蓋のない水洗大便器においても、便器洗浄時の排泄物の飛び散りを防ぎ、且つ、便器洗浄後の飛散した排泄物に触れることなく簡単に清掃を行うことができる。
また、便排泄物の飛散防止を行う必要がある場合にのみ、便座シートを使った便器洗浄を行えばよいため、身体動作の不自由な患者の水洗大便器の使い勝手を悪くせず、且つ、必要な使用者に対して排泄物の飛び散りを防止することができる。
【先行技術文献】
【特許文献】
【０００４】
【特許文献１】特開平０７−５９６７７
【発明の概要】
【発明が解決しようとする課題】
【０００５】
しかしながら、本来の使用方法と異なる従来品の便座シートを使い提案された便器洗浄方法を行った場合、便座シートが水洗大便器と便座の隙間を完全に覆うことができず、水洗大便器と便座との隙間から、排泄物が飛散し、使用者である患者や医療従事者の手などに触れてしまうという問題があった。
【０００６】
そこで、本発明は、上記問題を解決するためになされたもので、本発明の課題は、便器洗浄時に水洗大便器と便座との隙間からの排泄物の飛散を抑制し、その飛沫が手に触れる可能性を確実に抑制することである。
【課題を解決するための手段】
【０００７】
上記の目的を達成するために、本発明に係る便座シートにおいては、水溶性の紙から成る便座シートであって、便座の開口部を含めて便座の上面を覆う上面被覆面と、この上面被覆面と屈曲変形を促す変形促進部を介して連接されており、便座の側面に向かって垂下する垂下面と、を有する。
【０００８】
このように構成された本発明においては、垂下面により水洗便器全体が覆われているため、水洗大便器と便座との隙間から排泄物が飛散した場合でも、垂下面に排泄物の飛沫が付着し、便器洗浄時の排泄物がトイレ内に飛散するのを抑制することができる。
また、垂下面を変形促進部に沿って折り曲げることで、便座の上面と便座の側面を隙間無く覆うことができるため、便座と便座シートの隙間から飛散した排泄物の拡散を確実に防ぐことができる。
【０００９】
本発明において、好ましくは、前記垂下面は、便座の前方に垂下がる前方垂下面と、便座の両側方に垂下がる側方垂下面とを有し、前記上面被覆面に対してそれぞれが前記変形促進部を介して前記上面被覆面と連接されている。
【００１０】
このように構成された本発明においては、上面被覆面に対して前方垂下面及び側方垂下面の両方を変形促進部に沿って折り曲げることで、便座の上面と便座の側面とをすべて隙間なく覆うことができる。
【００１１】
また、本発明において、好ましくは、前記前方垂下面と前記側方垂下面との間には、切れ込みが形成されている。
【００１２】
このように構成された本発明においては、垂下面を折り曲げた際に、前方垂下面と側方垂下面との間を上手く折り曲げることができないという不具合を防ぐことができ、確実に垂下面が水洗大便器と便座との間を隙間なく覆うことができる。
【００１３】
また、本発明において、好ましくは、前記変形促進部は、薄肉部、折れ目またはミシン目によって形成されている。
【００１４】
このように構成された本発明においては、薄肉部、折れ目またはミシン目などの簡単な加工で、上面被覆面に対する垂下面の変形を促すことができる。
【発明の効果】
【００１５】
本発明によれば、便器洗浄時に水洗大便器と便座との隙間からの排泄物の飛散を抑制し、その飛沫が手に触れる可能性を抑制することができるという効果がある。
【図面の簡単な説明】
【００１６】
【図１】本発明の実施形態に係る便座シートが使用される水洗大便器の斜視図である。
【図２】本発明の実施形態における便座シートの使用状態を示す斜視図である。
【図３】図２における便座シートの展開平面図である。
【発明を実施するための形態】
【００１７】
本発明の実施形態における便座シートの説明を行う前に、本実施形態に係る便座シートが使用される水洗大便器の全体構成について、図１を用いて説明を行う。図１は、本発明の実施形態に係る便座シートが使用される水洗大便器全体を示す斜視図である。
【００１８】
図１に示すように、本実施形態で使用される水洗大便器１００は、使用者の排泄物を受けて下水管へ排出する洋風大便器本体１１０と、使用者が着座する便座１２０と、洋風大便器本体１１０の背後に設置されたキャビネット１３０と、洋風大便器本体１１０上面のキャビネット１３０より前方側に載置されたケーシング１４０と、で構成されている。
【００１９】
ここで、本願明細書においては、便座１２０に座った使用者からみて上方を「上方」とし、便座１２０に座った使用者からみて下方を「下方」とする。また、便座１２０に座った使用者からみて前方を「前方」とし、便座１２０に座った使用者からみて後方を「後方」とする。また、便座１２０に座った使用者からみて右方を「右方」とし、便座１２０に座った使用者からみて左方を「左方」とする。
【００２０】
洋風大便器本体１１０は、陶器製もしくは樹脂製であり、使用者の排泄物を受けるためのボウル面１１１を有している。このボウル面１１１の下部には逆Ｕ字形状の排水トラップ管路（図示せず）が連結されており、この排水トラップ管路を経て排泄部物を下水配管（図示せず）へ排出することが可能となっている。また、ボウル面１１１の下部には、排水トラップ管路によって所定高さの溜水が形成される。
【００２１】
便座１２０は、略楕円形状であり、中心部に略楕円形状の開口部１２１が形成されている。
また、便座１２０は、ケーシング１４０に対して回動自在に取り付けられており、便座１２０を閉止した際、ボウル面１１１を覆うようになっている。
【００２２】
本実施形態で使用する水洗大便器１００においては、便座１２０が、ケーシング１４０に取り付けられているが、ケーシング１４０が必ずしも設けられていなくてもよい。例えば、便座１２０は、洋風大便器本体１１０に対して回動自在に取り付けられてもよい。
【００２３】
キャビネット１３０の内部には、ボウル面１１１に洗浄水を流す大便器洗浄手段が収納されている。
大便器洗浄手段は、具体的な構成について周知の構成であるため図示は省略するが、貯水タンクと、この貯水タンクへの外部からの給水をオンオフするボールタップと、貯水タンク底部に設けられた排水弁とから構成されている。
【００２４】
ケーシング１４０の内部には、便座１２０に座った使用者の「おしり」などの洗浄を実現する局部洗浄手段などを収納している。
局部洗浄手段としては、具体的な構成について周知であるため図示は省略するが、外部からの給水をオンオフする開閉弁と、給水された水をたし加熱する温水ヒータと、加熱された温水を便座１２０に着座した使用者の局部にむけて噴出する洗浄ノズルと、によって構成されている。
【００２５】
次に、本実施形態における便座シートの実施形態について、図２及び図３を用いて説明を行う。図２は、本発明の実施形態における便座シートの使用状態を示す斜視図である。図３は、図２における便座シートの展開平面図である。
【００２６】
図２に示すように、本実施形態における便座シート２００は、便座１２０を覆うように被せて使用するものであり、便座１２０に被せて取り付けることができる。
便座シート２００は、便座１２０の開口部１２１を含めて便座の上面を覆う上面被覆面２１０と、垂下面として、便座１２０の前方に垂下がる前方垂下面２２０と便座１２０の左右方の側面に向かってそれぞれ垂下がる側方垂下面２３０とを、有している。
【００２７】
便座シート２００が便座１２０を覆っている状態（便座シート２００の使用状態）において、便座シート２００は、便座１２０の外周側面だけでなく、洋風大便器本体１１０の外周側面の一部をまで覆っている。つまり、便座シート２００は、洋風大便器本体１１０と便座１２０との間の隙間Ｓを覆っている。
【００２８】
図３に示すように、本実施形態における便座シート２００は、長方形状の水溶性の紙から成るものであり、折り曲げて前述した便座シート２００の使用状態の形に変形させて使用される。
【００２９】
便座シート２００において、上面被覆面２１０と前方垂下面２２０及び側方垂下面２３０との間には、屈曲変形を促すミシン目２４０（変形促進部）が形成されている。
便座シート２００は、前方側のミシン目２４０を介して、前方垂下面２２０と上面被覆面２１０とが連接されており、左右方側のミシン目２４０を介して、側方垂下面２３０と上面被覆面２１０とが連接されている。
ミシン目２４０により上面被覆面２１０と前方垂下面２２０及び側方垂下面２３０とが連結されているため、上面被覆面２１０に対して前方垂下面２２０及び側方垂下面２３０を、ミシン目２４０に沿って折り曲げることで、上面被覆面２１０に対して、前方垂下面２２０及び側方垂下面２３０をきれいに折り曲げることができ、洋風大便器本体１１０と便座１２０の側面との隙間Ｓをすべて隙間なく覆うことができる。
【００３０】
本実施形態において、変形促進部は、ミシン目２４０によって形成されているが、ミシン目２４０以外の同等の作用効果を奏するものでもよい。例えば、上面被覆面２１０、前方垂下面２２０及び側方垂下面２３０よりも薄く形成された薄肉部、又は、折れ線などでもよい。
【００３１】
ここで、便座シート２００において、ミシン目２４０から前方垂下面２２０及び側方垂下面２３０の先端までの長さＬは、一般的な便座底面と洋風大便器上面との間の隙間を覆うことが可能なように、８０ｍｍ以上であり、便座シート２００をボウル面１１１に破棄して水洗した際に排出を阻害しないように、１６０ｍｍ以下とすることが好ましい。
【００３２】
前方垂下面２２０と側方垂下面２３０との間には、切れ込み２５０が形成されている。切れ込み２５０は、上面被覆面２１０と前方垂下面２２０とを連結するミシン目２４０と上面被覆面２１０と側方垂下面２３０とを連結するミシン目２４０との交差点Ｉ１、Ｉ２からそれぞれ便座シート２００の角Ｃ１、Ｃ２まで形成されている。
この切れ込み２５０によって、前方垂下面２２０の端部と側方垂下面２３０の端部とが切り離されているので、前方垂下面２２０をミシン目に沿って折り曲げた際に、前方垂下面２２０の端部と側方垂下面２３０の端部とが互いに干渉せず、前方垂下面２２０と側方垂下面２３０とのそれぞれを簡単、且つ、きれいに折り曲げることができる。
【００３３】
また、便座シート２００を折り曲げて変形させる際は、切れ込み２５０が形成された側の前方垂下面２２０と側方垂下面２３０の端部は、水洗大便器１００側に折り曲げられる。
【００３４】
切れ込み２５０は、実施例に限定されるものではなく、例えば、交差点Ｉ１、Ｉ２から、便座シート２００の前方辺に沿って、左右方辺それぞれまで形成されていてもよく、便座シート２００の左右方辺それぞれに沿って、前方辺まで形成されていてもよい。つまり、交差点Ｉ１、Ｉ２から、便座シート２００の前方辺又は左右方辺それぞれまで、切れ込み２５０が形成されていればよい。
【００３５】
便座シート２００は、４つ折りの状態で従来の便座シートを収納する便座シートケースに収納されている。そのため、便座シート２００を使用する際は、便座シート２００を４つ折りの状態から展開して使用する。
【００３６】
以上のように、本発明の便座シート２００によれば、便器洗浄時に水洗大便器と便座との隙間からの排泄物の飛散を抑制し、その飛沫を手に触れる可能性を抑制することができる。
【００３７】
以上、本発明の実施形態について説明したが、本発明はこれらの記述に限定されるものではない。例えば、本発明が使用される水洗大便器は、便蓋を有しているものでもよく、その場合は、これまで奏してきた効果に加え、洗浄時における便蓋への排泄物の飛散を抑制することが更に期待できる。
【符号の説明】
【００３８】
１００・・・水洗大便器
１１０・・・洋風大便器本体
１１１・・・ボウル面
１２０・・・便座
１２１・・・開口部
１３０・・・キャビネット
１４０・・・ケーシング
２００・・・便座シート
２１０・・・上面被覆面
２２０・・・前方垂下面
２３０・・・側方垂下面
２４０・・・ミシン目（変形促進部）
２５０・・・切れ込み
【図１】
2017148156.tif 000003
【図２】
2017148156.tif 000004
【図３】
2017148156.tif 000005